(57)【要約】流体スプレー装置  流体を入れる容器（１０）と、流体を選択的に投与できるよう、固定リング（３０）によって容器（１０）に設置されたポンプ又は弁と、そして開口部（４５）を有する投与ヘッド（４０）とを有し、また、前記装置は、静止位置と投与位置との間を移動する駆動装置（５０）をさらに有し、前記駆動装置（５０）は、開口部（４５）から流体がスプレーされる方向とは違った向きに変位し、  前記駆動装置（５０）は、投与ヘッド（４０）上に形成されており、固定リング（３０）と協働することでポンプ又は弁を駆動させ、前記駆動装置（５０）は、前記投与ヘッド（４０）にピボット運動可能な形で設置された駆動部材（５１）を１つ以上有しており、特徴となるのは、各々の駆動部材（５１）が、前記固定リング（３０）と協働する駆動部分（５２）と、ユーザが駆動力を加えるプレッサー部材（５４）とを有し、前記プレッサー部材（５４）は、前記投与ヘッド（４０）にピボット運動可能な形で設置されており、先ず径方向に見て前記投与ヘッド（４０）から遠ざかる方向に、次いで軸方向に見て容器（１０）の方向に、固定リング（３０）を超える位置まで延びており、そして、前記駆動部分（５２）は、プレッサー部材（５４）にピボット運動可能な形で設置されており、装置が上向き状態であれば、径方向、軸方向ともに前記固定リング（３０）の方向へ延びて、前記固定リング（３０）と下側から協働することである、という前記流体スプレー装置。
2005525921.tif 000002
【特許請求の範囲】
【請求項１】
流体スプレー装置であって、
流体を入れる容器（１０）と、流体を選択的に投与できるよう、固定リング（３０）によって容器（１０）に設置されたポンプ又は弁と、そして開口部（４５）を有する投与ヘッド（４０）とを有し、
また、前記装置は、静止位置と投与位置との間を移動する駆動装置（５０）をさらに有し、
前記駆動装置（５０）は、開口部（４５）から流体がスプレーされる方向とは違った向きに変位し、
前記駆動装置（５０）は、投与ヘッド（４０）上に形成されており、固定リング（３０）と協働することでポンプ又は弁を駆動させ、
前記駆動装置（５０）は、前記投与ヘッド（４０）にピボット運動可能な形で設置された駆動部材（５１）を１つ以上有しており、
特徴となるのは、
各々の駆動部材（５１）が、前記固定リング（３０）と協働する駆動部分（５２）と、ユーザが駆動力を加えるプレッサー部材（５４）とを有し、
前記プレッサー部材（５４）は、前記投与ヘッド（４０）にピボット運動可能な形で設置されており、先ず径方向に見て前記投与ヘッド（４０）から遠ざかる方向に、次いで軸方向に見て容器（１０）の方向に、固定リング（３０）を超える位置まで延びており、
そして、前記駆動部分（５２）は、プレッサー部材（５４）にピボット運動可能な形で設置されており、装置が上向き状態であれば、径方向、軸方向ともに前記固定リング（３０）の方向へ延びて、前記固定リング（３０）と下側から協働することである、
という前記流体スプレー装置。
【請求項２】
前記投与ヘッド（４０）は、側面スカートを有し、
前記駆動装置（５０）は側面スカート（４１）に形成されていること、
を特徴とする請求項１に記載の装置。
【請求項３】
前記駆動装置（５０）は、前記投与ヘッド（４０）と一体化された単一部品として作られていること、
を特徴とする請求項２又は３に記載の装置。
【請求項４】
前記駆動装置（５０）が２つの駆動部材（５１）を有し、これら部材（５１）は前記投与ヘッド（４０）をはさんで径方向に互いに向かい合う位置にあること、
を特徴とする１乃至３のいずれかに記載の装置。
【請求項５】
前記固定リング（３０）は、容器（１０）のネックに、ネジ留め、スナップ留め、クランプ留めのいずれかが可能な、標準的なリングであること、
を特徴とする１乃至４のいずれかに記載の装置。
【請求項６】
駆動装置（５０）は、事前圧縮部材を有し、そのためポンプ又は弁はユーザが事前圧縮のしきい値を超える力を加えた場合のみ駆動すること、
を特徴とする１乃至５のいずれかに記載の装置。
【請求項７】
投与ヘッド（４０）は、鼻用ディスペンサヘッドであり、ポンプ又は弁が駆動状態にある間、ユーザの鼻孔内の所定位置で静止状態に保たれること、
を特徴とする１乃至６のいずれかに記載の装置。
【発明の詳細な説明】
【技術分野】
【０００１】
本発明は流体スプレー装置に関し、さらに具体的に言えば、流体がスプレー穴から噴出されるのとは違った方向にユーザが装置に駆動力を加える流体スプレー装置に関する。
【背景技術】
【０００２】
大部分の流体ディスペンサ装置には、香水や薬、あるいは化粧品であれ、ユーザは、一回分の流体を投与する際、投与ヘッドか流体を入れる容器のいずれかに力を加えるという形に作られており、その場合、その力は装置のピストン又は弁の変位方向に、軸方向に向けられる。そうした型の駆動は、スプレーする方向が軸方向ではない装置（すなわち装置のポンプのピストン又は弁の弁部材が変位する方向と平行でない装置）の場合、どんな装置であってもきわめて有効である。しかしながら、流体を鼻孔内に注入するため軸方向に投与する鼻スプレーに関して言えば、そうした型の駆動はいくらか問題がある。
【０００３】
具体的に言えば、装置を駆動する際に軸方向に力を加えなければならないということはつまり、投与中に鼻用エンドピースを鼻孔内で固定しておくことが難しいということである。さらに、そうした型の駆動においては、使用前圧縮を上回るように、ある程度の力をポンプ又は弁に加えなければならないこともあるのだが、年配者や子供などそれを困難とする人もあり、極端な場合には鼻孔内の負傷につながることもある。そして、そうした型の装置を、鼻孔内の鼻用エンドピースとの接触を感知できない第三者が駆動するのは困難である。
【発明の開示】
【発明が解決しようとする課題】
【０００４】
本発明は、上記と同じ問題が生じない流体スプレー装置を提供することを目的とする。
より具体的には、本発明は、製造、組立てが容易かつ安価であり、現在入手可能ないかなるポンプや弁に対しても、ポンプや弁、そしてそれらを容器に固定するためのリングのデザインを変更することなく、適応させることのできる流体スプレー装置を提供することを目的とする。
【０００５】
本発明はさらに、特に鼻に用いる場合、簡単に駆動できるような流体スプレー装置を提供することを目的とする。
また、本発明は、装置の駆動中、鼻孔内部でスプレー開口部を静止状態に保つことの可能な流体スプレー装置を提供することを目的とする。
【課題を解決するための手段】
【０００６】
そこで、本発明は、流体を入れる容器と、流体を選択的に投与できるよう、固定リングによって容器に設置されたポンプ又は弁と、そして開口部を有する投与ヘッドとを有し、また、前記装置は、静止位置と投与位置との間を移動する駆動装置をさらに有し、前記駆動装置は、開口部から流体がスプレーされる方向とは違った向きに変位し、前記駆動装置は、投与ヘッド上に形成されており、固定リングと協働することでポンプ又は弁を駆動させ、前記駆動装置は、前記投与ヘッドにピボット運動可能な形で設置された駆動部材を１つ以上有しており、特徴となるのは、各々の駆動部材が、前記固定リングと協働する駆動部分と、ユーザが駆動力を加えるプレッサー部材とを有し、前記プレッサー部材は、前記投与ヘッドにピボット運動可能な形で設置されており、先ず径方向に見て前記投与ヘッドから遠ざかる方向に、次いで軸方向に見て容器の方向に、固定リングを超える位置まで延びており、そして、前記駆動部分は、プレッサー部材にピボット運動可能な形で設置されており、装置が上向き状態であれば、径方向、軸方向ともに前記固定リングの方向へ延びて、前記固定リングと下側から協働することである、という流体スプレー装置を提供する。
【発明の効果】
【０００７】
また、効果的な構成として、前記投与ヘッドは、側面スカートを有し、前記駆動装置は側面スカートに形成されていることとする。
また、効果的な構成として、前記駆動装置は、前記投与ヘッドと一体化された単一部品として作られていることとする。
また、効果的な構成として、前記駆動装置は２つの駆動部材を有し、これら部材は前記投与ヘッドをはさんで径方向に互いに向かい合う位置にあることとする。
【０００８】
また、効果的な構成として、駆動装置は、事前圧縮部材を有し、そのためポンプ又は弁はユーザが事前圧縮のしきい値を超える力を加えた場合のみ駆動することとする。
また、効果的な構成として、投与ヘッドは、鼻用ディスペンサヘッドであり、ポンプ又は弁が駆動状態にある間、ユーザの鼻孔内の所定位置で静止状態に保たれることとする。
【発明を実施するための最良の形態】
【０００９】
本発明に関する他の特徴および効果については、添付図面を参照しながら、非限定的な例として示す本発明の具体的な実施の形態に関する以下の詳細な説明を読めば、さらに明らかになるだろう。
まず図面を参照する。本発明のスプレー装置は、噴出される流体が格納された容器１０と、容器１０に固定リング３０によって設置されたポンプ又は弁（図示せず）とを有する。固定リングは、容器のネックにネジ留め、クランプ留め、あるいはスナップ留めすることが可能である。そして、固定リングは規格のものであるのが好ましい。（すなわち側面駆動システムを備えない既存の装置で利用されるリングでよく、それに対して変更を施す必要はない。）ポンプ又は弁は、投与ヘッド４０に設けられた開口部４５を通って選択的に流体を投与する働きをする。この例では、投与ヘッド４０は鼻用ディスペンサヘッドであり、開口部４５は鼻孔内で軸方向に流体を噴出するように構成されている。
【００１０】
当然のことながら、本発明は必ずしも鼻への利用に限られてはおらず、他のいかなる型の流体ディスペンサ装置にも利用可能である。しかしながら、鼻に用いるような型のディスペンサに用いた場合には、上述の効果を示す。
また、本発明のスプレー装置の投与ヘッド４０には、駆動装置５０が形成されており、それは開口部４５から流体がスプレーされる向きとは違った方向に変位する。さらに詳しく説明すれば、効果的な構成として、駆動装置５０が変位する方向は、流体が開口部４５からスプレーされる方向とほぼ垂直となる。理解できるように、駆動装置に関してここに示すような実施の形態を選択した結果、特にこれがピボット部材であるという理由のため、前記方向は必ずしも完全に垂直とはならない。
【００１１】
図に示す例では、駆動装置５０は駆動部材５１を少なくとも１つ備え、その駆動装置５０はピボット運動する形で投与ヘッド４０に設置されている。好ましい構成として、投与ヘッド４０は、側面スカート４１を有し、側面スカートには駆動部材５１が径方向に互いに向かい合うように設置されている。そして、駆動部材５１は投与ヘッド４０と一体化した単一部品として作られているのが効果的である。本発明において、駆動部材５１は、ポンプ又は弁を駆動させるため、固定リング３０に作用する。効果的な構成として、駆動部材５１は、図面に示されたように、固定リング３０の底辺部、及び容器１０のネックによって形成されたコーナーと協働する。よって、ユーザは、投与ヘッド４０を鼻孔内に置き、駆動部材５１を駆動することにより、一回分の流体を投与する。前記駆動は側面から実行されるため、投与状態において装置は鼻孔内で静止状態に保たれ、また装置に軸方向の力が加わることもない。
【００１２】
本発明において、駆動部材５１はピボット運動する形で投与ヘッド４０に設置されている。各々の駆動部材５１は、駆動部分５２を有し、駆動部分は固定リング３０、及びユーザが装置を駆動するため押さえるプレッサー部材５４と協働する。
プレッサー部材５４はAを中心にピボット運動する形で投与ヘッド４０に設置されており、前記投与ヘッド４０から遠ざかる形で径方向に延びている。また、図１に示したように、プレッサー部材５４は、Bを中心にピボット運動する形で軸方向、つまり容器１０の方向に（図では下方へ）、固定リング３０を通過する形で延びている。プレッサー部材が、固定リング３０に向かって、径方向、軸方向共に延びているということは、つまり装置に向かって径方向に、そして開口部４５に向かって軸方向に向けられるということである。このように、図で示されたように上向きで使用された場合、駆動部品５２は固定リング３０に下方から協働するようになる。したがって、固定リング３０は側面駆動装置５０と協働する特定の部品を組み込む場合でも変形させる必要がなく、標準的なリングを使用することができる。駆動装置５０、さらに具体的に言えば駆動部品５２は、リングのうち容器１０のネックの下にはまり込む部分と協働する。固定リングを変形する必要を省くことにより、本発明は装置の製造、組立てに要する費用を削減する。加えて言えば、装置の寸法、特に容器、及び固定リングの径方向の寸法は、側面駆動装置５０が存在するにもかかわらず、最小限に抑えられている。
【００１３】
側面駆動部材５０は、段階レバーシステムのような働きをする。ここでは、ユーザがプレッサー部材５４加える側面駆動力は、ポンプを駆動する軸方向の力に変換され、その力は駆動の最終段階で最大になるが、その時ポンプ又は弁の抵抗力が最大に達する。したがって、特に本発明のこうしたシステムは効果的である。
効果的な構成として、事前圧縮部材（図示せず）を設置し、ポンプ又は弁は、ユーザが事前圧縮のしきい値を超える力を加えた場合のみ駆動されるという構成にすることができるだろう。これによれば、完全に特定量を投与でき、そして、装置が部分的にしか駆動されないという事態を予防することができる。
【００１４】
もうひとつの効果的な構成として、側面駆動システムを投与ヘッドに形成し、容器と直接協働はしないという形にすれば、容器がいかなる型、形状、あるいはサイズであっても適応が可能である。各々の容器に対応する特定の駆動装置をデザインする必要はない。
当然ながら、本発明は、図に示された具体的な実施の形態に限られるものではない。また、当業者であれば、添付の特許請求の範囲によって規定される本発明の範囲を逸脱しない形で変更を施すことも可能であろう。
【図面の簡単な説明】
【００１５】
【図１】本発明の効果的な実施の形態を構成するスプレー装置を、その駆動前の状態において示す概略断面図である。
【図２】図１と同様の図であり、装置を駆動状態において示す図である。
【図１】
2005525921.tif 000003
【図２】
2005525921.tif 000004
【手続補正書】
【提出日】平成17年5月24日(2005.5.24)
【手続補正１】
【補正対象書類名】特許請求の範囲
【補正対象項目名】請求項１
【補正方法】変更
【補正の内容】
【請求項１】
流体スプレー装置であって、
流体を入れる容器（１０）と、流体を選択的に投与できるよう、固定リング（３０）によって容器（１０）に設置されたポンプ又は弁と、そして開口部（４５）を有する投与ヘッド（４０）とを有し、
また、前記装置は、静止位置と投与位置との間を移動する駆動装置（５０）をさらに有し、
前記駆動装置（５０）は、開口部（４５）から流体がスプレーされる方向とは違った向きに変位し、
前記駆動装置（５０）は、投与ヘッド（４０）上にあり、固定リング（３０）と協働することでポンプ又は弁を駆動させ、
前記駆動装置（５０）は、前記投与ヘッド（４０）に対してピボット運動可能な形で設置された駆動部材（５１）を１つ以上有しており、
特徴となるのは、
各々の駆動部材（５１）が、前記固定リング（３０）と協働する駆動部分（５２）と、ユーザが駆動力を加えるプレッサー部材（５４）とを有し、
前記プレッサー部材（５４）は、前記投与ヘッド（４０）に対してピボット運動可能な形で設置されており、先ず径方向に見て前記投与ヘッド（４０）から遠ざかる方向に、次いで軸方向に見て容器（１０）の方向に、固定リング（３０）を超える位置まで延びており、
そして、前記駆動部分（５２）は、プレッサー部材（５４）にピボット運動可能な形で設置されており、装置が上向き状態であれば、径方向、軸方向ともに前記固定リング（３０）の方向へ延びて、前記固定リング（３０）と下側から協働することである、
という前記流体スプレー装置。
【手続補正２】
【補正対象書類名】特許請求の範囲
【補正対象項目名】請求項５
【補正方法】変更
【補正の内容】
【請求項５】
前記固定リング（３０）は、容器（１０）のネックに、ネジ留め、スナップ留め、またはクランプ留めされる標準的なリングであること、
を特徴とする１乃至４のいずれかに記載の装置。
流体スプレー装置
【手続補正３】
【補正対象書類名】明細書
【補正対象項目名】０００６
【補正方法】変更
【補正の内容】
【０００６】
そこで、本発明は、流体を入れる容器と、流体を選択的に投与できるよう、固定リングによって容器に設置されたポンプ又は弁と、そして開口部を有する投与ヘッドとを有し、また、前記装置は、静止位置と投与位置との間を移動する駆動装置をさらに有し、前記駆動装置は、開口部から流体がスプレーされる方向とは違った向きに変位し、前記駆動装置は、投与ヘッド上にあり、固定リングと協働することでポンプ又は弁を駆動させ、前記駆動装置は、前記投与ヘッドに対してピボット運動可能な形で設置された駆動部材を１つ以上有しており、各々の駆動部材が、前記固定リングと協働する駆動部分と、ユーザが駆動力を加えるプレッサー部材とを有し、前記プレッサー部材は、前記投与ヘッドに対してピボット運動可能な形で設置されており、先ず径方向に見て前記投与ヘッドから遠ざかる方向に、次いで軸方向に見て容器の方向に、固定リングを超える位置まで延びており、そして、前記駆動部分は、プレッサー部材にピボット運動可能な形で設置されており、装置が上向き状態であれば、径方向、軸方向ともに前記固定リングの方向へ延びて、前記固定リングと下側から協働する、という流体スプレー装置を提供する。
【手続補正４】
【補正対象書類名】明細書
【補正対象項目名】００１０
【補正方法】変更
【補正の内容】
【００１０】
当然のことながら、本発明は必ずしも鼻への利用に限られてはおらず、他のいかなる型の流体ディスペンサ装置にも利用可能である。しかしながら、鼻に用いるような型のディスペンサに用いた場合には、上述の効果を示す。
また、本発明のスプレー装置の投与ヘッド４０には、駆動装置５０が形成または固定されており、それは開口部４５から流体がスプレーされる向きとは違った方向に変位する。さらに詳しく説明すれば、効果的な構成として、駆動装置５０が変位する方向は、流体が開口部４５からスプレーされる方向とほぼ垂直となる。理解できるように、駆動装置に関してここに示すような実施の形態を選択した結果、特にこれがピボット部材であるという理由のため、前記方向は必ずしも完全に垂直とはならない。
【手続補正５】
【補正対象書類名】明細書
【補正対象項目名】００１１
【補正方法】変更
【補正の内容】
【００１１】
図に示す例では、駆動装置５０は駆動部材５１を少なくとも１つ備え、その駆動部材は投与ヘッド４０に対してピボット運動する形で設置されている。好ましい構成として、投与ヘッド４０は、側面スカート４１を有し、側面スカートには駆動部材５１が径方向に互いに向かい合うように設置されている。そして、駆動部材５１は投与ヘッド４０と一体化した単一部品として作られているのが効果的である。本発明において、駆動部材５１は、ポンプ又は弁を駆動させるため、固定リング３０に作用する。効果的な構成として、駆動部材５１は、図面に示されたように、固定リング３０の底辺部、及び容器１０のネックによって形成されたコーナーと協働する。よって、ユーザは、投与ヘッド４０を鼻孔内に置き、駆動部材５１を駆動することにより、一回分の流体を投与する。前記駆動は側面から実行されるため、投与状態において装置は鼻孔内で静止状態に保たれ、また装置に軸方向の力が加わることもない。
【手続補正６】
【補正対象書類名】明細書
【補正対象項目名】００１２
【補正方法】変更
【補正の内容】
【００１２】
本発明において、駆動部材５１は投与ヘッド４０に対してピボット運動する形で設置されている。各々の駆動部材５１は、駆動部分５２を有し、駆動部分は固定リング３０、及びユーザが装置を駆動するため押さえるプレッサー部材５４と協働する。
【手続補正７】
【補正対象書類名】明細書
【補正対象項目名】００１４
【補正方法】変更
【補正の内容】
【００１４】
もうひとつの効果的な構成として、側面駆動システムは投与ヘッド上にあって、容器と直接協働はしないという形にすれば、容器がいかなる型、形状、あるいはサイズであっても適応が可能である。各々の容器に対応する特定の駆動装置をデザインする必要はない。
当然ながら、本発明は、図に示された具体的な実施の形態に限られるものではない。また、当業者であれば、添付の特許請求の範囲によって規定される本発明の範囲を逸脱しない形で変更を施すことも可能であろう。
【国際調査報告】
2005525921.tif 000005
2005525921.tif 000006
2005525921.tif 000007
2005525921.tif 000008